(57)【要約】【課題】飲用時に所定の圧力を加えるだけで粉末収納体を容易に開裂することができ、しかも飲用時には破れた粉末収納体を取り除く必要がない粉末収納体付き容器用キャップの提供。【解決手段】天井が外方にドーム状１１に湾曲したキャップ１の内面に粉末収納体７を有し、該粉末収納体７の有底部には非貫通スリット６が設けられており、前記キャップのドーム状湾曲部１１を押圧することにより収納体７が圧縮され前記非貫通スリットを開裂可能としたことを特徴とする粉末収納体付き容器用キャップ。前記非貫通スリットの断面形状がＶ字形であり、前記容器がプラスチックボトルである。【選択図】    図１
2009073509.tif 000002
【特許請求の範囲】
【請求項１】
天井が外方にドーム状に湾曲したキャップの内面に粉末収納体を有し、該粉末収納体の有底部には複数の非貫通スリットが設けられており、前記湾曲した天井を介して収納体を押圧することにより前記非貫通スリットを開裂可能としたことを特徴とする粉末収納体付き容器用キャップ。
【請求項２】
前記非貫通スリットの断面形状がＶ字形であることを特徴とする請求項１に記載の粉末収納体付き容器用キャップ。
【請求項３】
前記容器がプラスチックボトルであることを特徴とする請求項１又は請求項２に記載の粉末収納体付き容器用キャップ。
【発明の詳細な説明】
【技術分野】
【０００１】
本発明は、粉末収納体付き容器用キャップに関するものであり、更に詳しくは飲料材料を水と分離して粉末状で保持し、飲料時に混合して新鮮な状態で飲用し得る粉末収納体付き容器用キャップに関するものである。
【背景技術】
【０００２】
従来、飲料材料は、液状体でビン、缶、ペットボトル（商標名）などに詰めて販売されているが、最初から液状体にした飲料は、時間経過と共に変質して味や風味が変化するという問題があり、近年、この点を改良した種々の技術が開発されている。その一例としては、文献の図１乃至図３に示されるように、ビンやプラスチック容器などの外部キャップ３と内部キャップ２からなり、この内部キャップ２に粉末茶５を収納すると共に、外部キャップ３の内面には、先端部が刃形状などの形状になっている下方突出部３ｂを備えた合成樹脂からなり、下方突出部３ｂの内側には窪み部３ｅが設けられ、また外周には突起状のシール部３ｃが設けられている。下方突出部３ｂのシール部３ｃが内部キャップ２の収納部２ｂ内週面に当接して、収納部２ｂ内に収納されている粉末茶５を密封する構造となっている。蓋３を回転させて開けると蓋３と連動した刀形をした下方突出部３ｂによって粉末収納体２が破れて粉末５が落下して飲料水３に混合される技術が開示されている（例えば、特許文献１参照）。
【０００３】
また図１乃至図４に示されているように、瓶口２ａに止着した密封容器４が瓶口２ａ内に没入された状態で設けられており、この密封容器４の上面部４ｄには凹部が形成されている。他方、キャップの内面側には、内方に向かって突出する突起６ａが形成されており、この突起６ａが密封容器４の上面部４ｄ側を押圧してこれを突き破り、さらに下面部４ｅをも破って密封容器４内の粉末茶５を容器本体内の飲料水中に落下させる飲料用混合容器が開示されている（例えば、特許文献２参照）。
【０００４】
更には図６乃至図７に示されているように、ペットボトル本体１０の口頚部２に固体状の飲料材料３を封入した収納袋４が保持され、またボトルキャップ１の上面には、ペットボトルの口頚部２より内側に、その肉厚が薄くなるように円形溝７を（変形部）形成し、手の押圧で収納袋４が破袋（図７参照）するようにした飲料用容器が開示されている（例えば、特許文献３参照）。
【特許文献１】特開２００４−２７６９４２（段落０００６、段落０００８乃至段落００１０、段落００１２、図１乃至図３）
【特許文献２】特開２００３−７２８２２（段落０００６乃至段落００１１、図１乃至図４）
【特許文献３】特開２００４−２８４６５３（段落００１０、図６乃至図７）
【発明の開示】
【発明が解決しようとする課題】
【０００５】
しかしながら、前述の如く特許文献１に開示されている飲料容器のキャップ構造は、外部キャップ３と内部キャップ２からなり、この内部キャップ２に粉末茶５を収納すると共に、外部キャップ３の内面に設けられた先端部が刃形状の下方突出部３ｂによって内部キャップ２の底面を破断して粉末茶５を飲料水に混合するが、外部キャップ３と内部キャップ２を用いるなど部品数が多く、また構造が複雑となる。更には飲用時に内部キャップ２を取り除いてから飲用するので、煩わしさを伴う点で問題があった。
【０００６】
また特許文献２に開示されている飲料用混合容器は、キャップの内面側に設けられた突起６ａで密封容器４の上面部４ｄ側を押圧してこれを突き破り、さらに下面部４ｅをも破って密封容器４内の粉末茶５を容器本体内の飲料水中に落下させるものであるが、これは前記特許文献１と同様に密封容器４を突き刺し、飲用時には破れた密封容器４を取り除く必要があるばかりか、取り除いた密封容器４の処分に煩わしさの恐れがあるという問題があった。
【０００７】
更に特許文献３に開示されているぺットボトルキャップの内部構造としては、ボトルキャップ１の上面には、ペットボトルの口頚部２より内側に、その肉厚が薄くなるように円形溝７を（変形部）形成し、一方ペットボトル本体１０の口頚部２に固体状の飲料材料３を封入した収納袋４が保持されているので、この収納袋４を手の押圧で破袋（図７参照）することにより飲料材料３を飲料水中に落下させるものであるが、この収納袋４には、袋を開裂しうるスリットがなく、またぺットボトルキャップに、その肉厚が薄い円形溝７が設けられているものの、この構造では手による押圧力が弱く収納袋４を破壊するには十分ではないという問題があった。また飲用時には破れた収納袋４を取り除く必要があるばかりか、取り除いた収納袋４の処分に煩わしさの恐れがあるという問題があった。
【０００８】
そこで、本発明者は、上記の問題点について、種々検討したところ、ボトルキャップの天井部にドーム状の湾曲部を設け、かつ粉末収納体の底部に非貫通スリットを設けて手による押圧時に非貫通スリットが破壊され易いようにしたことにより、飲用時に所定の圧力を加えるだけで粉末収納体を容易に開裂することができ、しかも飲用時には破れた粉末収納体を取り除く必要がなく、飲料時に混合して新鮮な状態で煩わしさがなく、したがって飲用し得る粉末収納体付き容器用キャップが得られることを見出し、ここに本発明をなすに至った。
【０００９】
したがって、本発明が解決しようとする課題は、飲用時に所定の圧力を加えるだけで粉末収納体を容易に開裂することができ、しかも飲用時には破れた粉末収納体を取り除く必要がなく、また、飲料時に混合して新鮮な状態で煩わしさがなく飲用し得る粉末収納体付き容器用キャップを提供することにある。
【課題を解決するための手段】
【００１０】
本発明は、以下の各発明によって、前記の課題を解決したものである。
（１）天井が外方にドーム状に湾曲したキャップの内面に粉末収納体を有し、該粉末収納体の有底部には複数の非貫通スリットが設けられており、前記湾曲した天井を介して収納体を押圧することにより前記非貫通スリットを開裂可能としたことを特徴とする粉末収納体付き容器用キャップ。
（２）前記非貫通スリットの断面形状がＶ字形であることを特徴とする前記第１項に記載の粉末収納体付き容器用キャップ。
（３）前記容器がプラスチックボトルであることを特徴とする前記第１項又は第２項に記載の粉末収納体付き容器用キャップ。
【発明の効果】
【００１１】
本発明において、（１）前記第１項に記載された粉末収納体付き容器用キャップは、天井が外方にドーム状に湾曲したキャップの内面に粉末収納体を有し、該粉末収納体の有底部には非貫通スリットが設けられており、前記収納体を押圧することにより前記非貫通スリットを開裂可能としたことを特徴とするもので、この天井が外方にドーム状に湾曲したキャップを有し、かつ粉末収納体の有底部には非貫通スリットが設けたことにより、押圧時に簡単に粉末収納体が開裂し、粉末を飲料水中に混入しうるという優れた効果を奏するものである。
【００１２】
（２）前記第１項に記載の粉末収納体付き容器用キャップにおいて、非貫通スリットの断面形状がＶ字形であることにより、飲用時にキャップの天井部を押圧した際、粉末収納体のＶ字形の肉薄部が容易に開裂して粉末を飲料水中に混入しうるという優れた効果を奏するものである。
【００１３】
（３）前記第１項又は第２項に記載の粉末収納体付き容器用キャップにおいて、前記容器がプラスチックボトルであることにより、軽量かつ安価であるので、経済的に有利であるという優れた効果を奏するものである。
【発明を実施するための最良の形態】
【００１４】
以下に、本発明について、発明の実施の形態を図面で説明するが、本発明は、これに限定されるものではない。
【００１５】
図１は、本発明の粉末収納体付きボトル用キャップを示す展開図である。図２は、本発明に用いられる粉末収納体を示す底面図である。図３は、本発明に用いられる環状体を示す平面図である。図１及び図３において、粉末収納体付きボトル用キャップ１には、該キャップ１の天井部に瓶口嵌合部のリブ１２を有すると共に、粉末３を入れる容器７とそのドーム状湾曲部１１からなる密閉蓋２とからなる粉末収納体７を固定して有している。該蓋２の天井部は、前記キャップ１の天井部に対応した形状を有している。すなわち、キャップ１の上部はドーム状湾曲部１１からなり、この天井内面に対応したドーム状湾曲部２１を有する蓋２が接着剤で固定されているが、更にドーム状に湾曲した天井２１にも接着剤を用いて接着してもよい。またこの蓋２のフランジ（４）内面の環状平面部２２に、粉末収納容器７のフランジ７１が接着剤により接着されるが、更に環状体からなるワッシャー５で抑えかつ接着してもよい。接着剤としては、通常、食品用接着剤であれば、特に限定されるものではない。また粉末収納体としては、容器、袋などいずれも食品に用いられるもので、例えば、アルミ箔、積層アルミ箔など食品用である。粉末３としては、飲料用に用いられるものであれば、特に限定されるものではないが、好ましくは、お茶、コーヒー、ジュースなどの粉末を用いることができる。
【００１６】
前記粉末収納用容器７の底の部分にはスリット６が設けられ、このスリットは、非貫通スリットであり、好ましくはＶ字形である。このように底の部分をＶ字形に切り込むことにより切り込まれた面の厚みが薄くなるので、破壊されやすくなり、手でキャップの上面のドーム状湾曲部１１を押圧することにより容易に粉末収納用容器７が押圧により壊れて粉末が飲料水中へ混入する。粉末収納体７の材質としては、気体や液体を通過しないものが好ましく、例えば、前述のアルミ箔、積層アルミ箔や合成樹脂や樹脂被覆紙などの食品用部材であれば特に限定されるものではない。キャップ１や蓋２などの材質は、特に限定されるものではないが、経済性を考慮すれば、プラスチックスが好ましい。このように形成された粉末収納体７は、機密となり、この状態では液体はもちろんのこと、空気などの気体は全く外部に出ない。したがって、押圧により粉末収納体７は、非貫通スリット部分で開裂する。
【産業上の利用可能性】
【００１７】
本発明は、自動販売機などの販売用に供する分野において保存時間が長期に及ぶような場合、保存期間中に味や風味が変化するような飲料材料を扱う場合に極めて有効である。
【図面の簡単な説明】
【００１８】
【図１】本発明の粉末収納体付き容器用キャップを示す展開図である。
【図２】本発明に用いられる粉末収納体を示す底面図である。
【図３】本発明に用いられる環状体を示す平面図である
【符号の説明】
【００１９】
１  キャップ
１１、２１  ドーム状湾曲部又は凸状湾曲部
２  密閉蓋
２２  環状平面
３  粉末
４、７１  フランジ
５  環状体（ワッシャー）
６  スリット
７  粉末収納体（容器）
【図１】
2009073509.tif 000003
【図２】
2009073509.tif 000004
【図３】
2009073509.tif 000005